(57)【要約】【課題】表示装置を提供する。【解決手段】表示装置は表示器及びプリズムモジュールを含む。表示器は表示領域及び表示領域を囲む枠領域を有する。プリズムモジュールは枠領域の上方に配置されている。プリズムモジュールは複数の第１プリズム群及び少なくとも１つの第２プリズム群を含む。第１プリズム群は表示領域の複数の辺の傍にそれぞれ配置されている。第２プリズム群は表示領域の少なくとも１つの角部の傍に配置され、且つ第１プリズム群に隣接する。第２プリズム群は、表示領域の角部から離れる方向に沿って配列された複数のプリズムを含む。第２プリズム群の各プリズムの延在方向は、表示領域の角部に隣接する辺に対して傾斜している。【選択図】図１Ａ
2017090907.tif 000002
【特許請求の範囲】
【請求項１】
表示領域、及び前記表示領域を囲む枠領域を有する表示器と、
前記枠領域の上方に配置されているプリズムモジュールと、を含み、
前記プリズムモジュールは、
前記表示領域の複数の辺の傍にそれぞれ配置されている複数の第１プリズム群と、
前記表示領域の少なくとも１つの角部の傍に配置され、且つ前記第１プリズム群に隣接する少なくとも１つの第２プリズム群と、を含み、
前記第２プリズム群は、前記表示領域の前記角部から離れる方向に沿って配列された複数のプリズムを含み、前記第２プリズム群の各プリズムの延在方向は、前記表示領域の前記角部に隣接する辺に対して傾斜している、表示装置。
【請求項２】
前記第２プリズム群は、隣接する前記第１プリズム群に接続されている、請求項１に記載の表示装置。
【請求項３】
各第１プリズム群は、前記表示領域から離れる方向に沿って配列された複数のプリズムを含み、各第１プリズム群の各プリズムの延在方向は、隣接する前記表示領域の辺に実質的に平行している、請求項１に記載の表示装置。
【請求項４】
前記第２プリズム群と前記枠領域とは間隔を有する、請求項１に記載の表示装置。
【請求項５】
前記第１プリズム群と前記枠領域とは間隔を有する、請求項１に記載の表示装置。
【請求項６】
各第１プリズム群は内側から外側へ前記表示領域の表面に対して傾斜して延在し、前記第１プリズム群の前記内側は前記表示領域の上に位置し、前記第１プリズム群の前記外側は前記枠領域の上方に位置し、前記第１プリズム群の前記内側と前記表示領域との距離は前記第１プリズム群の前記外側と前記枠領域との距離よりも小さい、請求項１に記載の表示装置。
【請求項７】
前記第１プリズム群と前記表示器との間に配置され、且つ前記第１プリズム群を支持する透光素子、をさらに含む、請求項１に記載の表示装置。
【請求項８】
前記第１プリズム群は前記透光素子に接着されている、請求項７に記載の表示装置。
【請求項９】
前記透光素子の少なくとも一部は前記表示器に接着されている、請求項８に記載の表示装置。
【請求項１０】
前記表示領域により表示された映像のうち各第１プリズム群により覆われている部分の映像は、前記第１プリズム群の前記内側から前記外側へ表示されるべき正確映像に対応する、請求項６に記載の表示装置。
【請求項１１】
前記表示領域のうちプリズムモジュールにより覆われている部分の輝度レベルは、前記表示領域のうち前記プリズムモジュールにより覆われていない部分の輝度レベルよりも高い、請求項６に記載の表示装置。
【請求項１２】
前記表示器は、バックライトモジュール、及び前記バックライトモジュールと前記プリズムモジュールとの間に配置された表示パネルを含み、
前記バックライトモジュールの出射領域のうちプリズムモジュールにより覆われている部分の輝度は、前記バックライトモジュールの前記出射領域のうち前記プリズムモジュールにより覆われていない部分の輝度よりも高い、請求項６に記載の表示装置。
【請求項１３】
各第１プリズム群の外側は前記枠領域の外側に合わせており、
各第１プリズム群の前記表示領域の表面に平行する方向における幅は、前記枠領域の前記表示領域の表面に平行する方向における幅の１〜３倍である、請求項１に記載の表示装置。
【請求項１４】
前記表示領域及び前記枠領域を覆う透光蓋板、をさらに含み、
前記プリズムモジュールは、前記透光蓋板と前記表示器との間に配置されている、請求項１に記載の表示装置。
【請求項１５】
前記表示領域のエッジ領域に配置された視差バリア、をさらに含み、
前記視差バリアは、前記エッジ領域を覆い、且つ前記エッジ領域の一部の複数の画素を遮蔽する複数の遮光部及び前記エッジ領域のもう一部の複数の画素を露出させる複数の透光部を有し、
前記遮光部により遮蔽された前記一部の画素から射出された光は、前記透光部を介して前記プリズムモジュールに斜めに伝搬されて、前記プリズムモジュールにより前記プリズムモジュールの上方に屈折され、
前記透光部により露出された前記もう一部の画素から射出された光は、前記透光部を介して前記表示領域の上方へ伝搬される、請求項１に記載の表示装置。
【請求項１６】
前記第２プリズム群の前記プリズムの延在方向と前記表示器の前記角部に隣接する前記辺となす鋭角は、１５°以上であり、且つ７５°以下である、請求項１に記載の表示装置。
【請求項１７】
前記表示領域の前記プリズムモジュールにより露出された部分を覆う光強度減衰素子、をさらに含む、請求項１に記載の表示装置。
【請求項１８】
前記光強度減衰素子の一端は前記表示領域内に位置し、前記光強度減衰素子の他端は前記第１プリズム群に接続されている、請求項１７に記載の表示装置。
【請求項１９】
前記第１プリズム群は複数のプリズムを含み、前記第１プリズム群の前記プリズムの先端は前記枠領域から離れる方向に向かっており、
前記第２プリズム群の前記プリズムの先端は前記枠領域から離れる方向に向かっている、請求項１に記載の表示装置。
【請求項２０】
前記第１プリズム群は複数のプリズムを含み、前記第１プリズム群の前記プリズムの先端は前記枠領域に向かっており、
前記第２プリズム群の前記プリズムの先端は前記枠領域に向かっている、請求項１に記載の表示装置。
【請求項２１】
前記第２プリズム群は、前記表示領域の前記角部、及び前記角部に隣接する前記枠領域の湾曲部を覆う、請求項１に記載の表示装置。
【請求項２２】
前記表示器は、バックライトモジュール、及び前記バックライトモジュールと前記プリズムモジュールとの間に配置された表示パネルを含み、
前記バックライトモジュールは、前記表示領域のエッジ領域の下方に位置する逆プリズム群を有し、前記逆プリズム群は、先端が前記表示パネルから離れる方向に向かう複数のプリズムを含む、請求項１に記載の表示装置。
【発明の詳細な説明】
【技術分野】
【０００１】
本発明は、表示装置に関する。
【背景技術】
【０００２】
大スクリーン表示システムは、電気通信ネットワーク管理、公安交通警察官の指示、交通監視管理、軍事作戦指揮訓練、工業生産のスケジューリング等複数の領域の制御室に広く使用されている。大スクリーン表示システムは、大面積で各種の共有情報及び総合的情報を表示することへのユーザの要求を満たすように、多種の異なる信号源の信号をまとめて表示できる。また、一般的に複数のスクリーンをスプライシング（ｓｐｌｉｃｉｎｇ）して比較的に大きい表示スクリーンを実現する応用も各分野に現れている。現在、大スクリーン表示システム又は一般的な表示スクリーンのスプライシングは、通常、複数の液晶表示器（ＬＣＤ：Ｌｉｑｕｉｄ  Ｃｒｙｓｔａｌ  Ｄｉｓｐｌａｙ）を表示部として採用してスプライシングを行う。
【０００３】
液晶表示器は、年々に発展し、現在は表示器の主流となっている。液晶表示器の利点は、厚さが薄く、重さが軽く、消費電力が低く、寿命が長く、放射がないことであり、液晶表示器は表示画面が微細であり、解像度が高く、各主要な性能指標が優れている。しかし、液晶表示器が上記の利点を有するが、液晶表示器の動作原理により、液晶表示パネルの無効領域及びフロント枠構造の制限を回避しにくい。このため、複数の液晶表示器を用いてマルチスクリーンのスプライシングを実現する場合は、これらの液晶表示器の表示画面の間に枠が存在するから、表示画面全体の不連続感に繋がり、鑑賞の品質に影響を与えてしまう。
【０００４】
「背景技術」段落の内容は本発明の内容の理解を助けるためのものであり、「背景技術」段落に記載される内容は、当技術分野の常用知識を持っている者が把握していること以外の従来技術も含むことができる。「背景技術」段落に記載される内容について、「背景技術」の内容又は本発明の一個又は複数個の実施例が解決しようとする問題を代表するものは、本発明の出願前に当技術分野の常用知識を持っている者が既に把握又は承知しているものではない。
【発明の概要】
【発明が解決しようとする課題】
【０００５】
本発明は、枠なしの表示効果を達成できる表示装置を提供する。
【０００６】
なお、本発明の他の目的及び利点は、本発明に開示されている手段から更に分かる。
【課題を解決するための手段】
【０００７】
上記本発明の目的の一つ、一部若しくは全部、又は他の目的を達成するため、本発明の１つの実施例は、表示領域、及び前記表示領域を囲む枠領域を有する表示器と、前記枠領域の上方に配置されているプリズムモジュールと、を含み、前記プリズムモジュールは、前記表示領域の複数の辺の傍にそれぞれ配置されている複数の第１プリズム群と、前記表示領域の少なくとも１つの角部の傍に配置され、且つ前記第１プリズム群に隣接する少なくとも１つの第２プリズム群と、を含み、前記第２プリズム群は、前記表示領域の前記角部から離れる方向に沿って配列された複数のプリズムを含み、前記第２プリズム群の各プリズムの延在方向は、前記表示領域の前記角部に隣接する辺に対して傾斜している、表示装置を提供する。
【発明の効果】
【０００８】
上述したように、本発明の実施例は下記の利点の少なくとも１つを有する。本発明の実施例の表示装置では、プリズムモジュールは、表示領域の複数の辺の傍にそれぞれ配置されている複数の第１プリズム群と、表示領域の少なくとも１つの角部の傍に配置され、且つ第１プリズム群に隣接する少なくとも１つの第２プリズム群と、を含み、第２プリズム群は、表示領域の角部から離れる方向に沿って配列された複数のプリズムを含み、第２プリズム群の各プリズムの延在方向は、表示領域の角部に隣接する辺に対して傾斜している。従って、表示装置は、枠なしの表示効果を達成できる。
【０００９】
本発明の上述した特徴及び利点をより明確に分かるように、図面を参照しながら、下記実施例に基づいて詳細に説明する。
【図面の簡単な説明】
【００１０】
【図１Ａ】本発明の１つの実施例の表示装置の平面図である。
【図１Ｂ】図１Ａの実施例の表示装置の表示領域Ａにおける拡大図である。
【図１Ｃ】図１Ａの実施例の表示装置の表示領域の辺と枠領域との境界における部分（線分Ａ−Ａ’に沿う）の側面断面図である。
【図１Ｄ】図１Ａの実施例の表示装置の表示領域の角部と枠領域との境界における部分（線分Ｂ−Ｂ’に沿う）の側面断面図である。
【図１Ｅ】本発明の１つの実施例の複数の図１Ａの実施例の表示装置をスプライシングする時の平面図である。
【図１Ｆ】図１Ｅの実施例の表示装置の領域Ｂにおける拡大図である。
【図２】本発明のもう１つの実施例の表示装置の表示領域の辺と枠領域との境界における部分の側面断面図。
【図３】本発明のもう１つの実施例の表示装置の表示領域の辺と枠領域との境界における部分の側面断面図。
【図４】本発明のもう１つの実施例の表示装置の表示領域の辺と枠領域との境界における部分の側面断面図。
【図５Ａ】本発明のもう１つの実施例の表示装置の平面図である。
【図５Ｂ】図５Ａの実施例の表示装置の線分Ｃ−Ｃ’に沿う側面断面図である。
【図６Ａ】本発明のもう１つの実施例の表示装置の表示領域の辺と枠領域との境界における部分の部分側面断面図。
【図６Ｂ】本発明のもう１つの実施例の表示装置の表示領域の辺と枠領域との境界における部分の部分側面断面図。
【図７】本発明のもう１つの実施例の表示装置の表示領域の辺と枠領域との境界における部分の部分側面断面図。
【図８Ａ】本発明のもう１つの実施例の表示装置の表示領域の辺と枠領域との境界における部分の部分側面断面図。
【図８Ｂ】本発明のもう１つの実施例の表示装置の表示領域の辺と枠領域との境界における部分の部分側面断面図。
【図８Ｃ】本発明のもう１つの実施例の表示装置の表示領域の辺と枠領域との境界における部分の部分側面断面図。
【発明を実施するための形態】
【００１１】
上述した本発明に係る技術的内容、特徴及び効果は、以下の図面を参照しながら、好適な実施形態の詳細な説明に示されるように、明らかである。以下実施形態に言及される「上」、「下」、「左」、「右」、「前」、「後」等の方向の用語は、単なる図面を参照する際に、単なる方向を参考する説明用の用語であり、本発明は方向の用語に示されるものに限定されない。
【００１２】
図１Ａは本発明の１つの実施例の表示装置の平面図である。図１Ａに示すように、本実施例では、表示装置１００は表示器１０２を含む。表示器１０２は、表示領域１１０、及び表示領域１１０を囲む枠領域１２０を有する。具体的には、表示器１０２は、例えば液晶表示器（ＬＣＤ：Ｌｉｑｕｉｄ  Ｃｒｙｓｔａｌ  Ｄｉｓｐｌａｙ）である。表示領域１１０は、表示画面を表示する複数の表示画素（図示せず）を有し、枠領域１２０は、表示器１０２の非表示領域である。１つの態様では、表示器１０２は他の種類の表示器、例えば有機発光表示器（ＯＬＥＤ：Ｏｒｇａｎｉｃ  Ｌｉｇｈｔ  Ｅｍｉｔｔｉｎｇ  Ｄｉｓｐｌａｙ）等であってもよく、本発明はこれに限定されない。
【００１３】
図１Ｂは図１Ａの実施例の表示装置の表示領域Ａにおける拡大図である。図１Ａ及び図１Ｂに示すように、本実施例では、表示装置１００は、枠領域１２０の上方に配置されているプリズムモジュール１３０を含む。プリズムモジュール１３０は、複数の第１プリズム群１３２及び複数の第２プリズム群１３４を含む。具体的には、表示領域１１０は、表示領域１１０と枠領域１２０との境界に位置する複数の辺ｅを有し、これらの第１プリズム群１３２は、表示領域１１０のこれらの辺ｅの傍にそれぞれ配置されている。また、本実施例の表示領域１１０は、２つの辺ｅが交差する部分に位置する複数の角部Ｃ１を有する。これらの第２プリズム群１３４は、表示領域１１０のこれらの角部Ｃ１の傍に配置され、且つこれらの第１プリズム群１３２に隣接する。１つの態様では、実際の要求に応じて、プリズムモジュール１３０は、表示領域１１０の１つの角部Ｃ１に配置されている単一の第２プリズム群１３４を含んでもよいが、本発明はこれに限定されない。また、本実施例では、これらの第１プリズム群１３２及びこれらの第２プリズム群１３４は、枠領域１２０を覆う。なお、１つの態様では、これらの第１プリズム群１３２及びこれらの第２プリズム群１３４は、表示領域１１０の一部を覆ってもよいが、本発明はこれに限定されない。
【００１４】
図１Ｂに示すように、本実施例では、各第１プリズム群１３２は複数のプリズム１３２ａを含む。これらのプリズム１３２ａは、表示領域１１０から離れる方向に沿って配列されている。各第１プリズム群１３２の各プリズム１３２ａの延在方向は、隣接する表示領域１１０の辺ｅに実質的に平行している。図１Ｂにおける第２プリズム群１３４の下方に隣接する第１プリズム群１３２を例にして、第１プリズム群１３２のこれらのプリズム１３２ａは例えば方向Ｄ２に沿って配列され、方向Ｄ２は表示領域１１０から離れる方向である。第１プリズム１３２の各プリズム１３２ａは例えば方向Ｄ１に沿って延在し、方向Ｄ１は、第１プリズム１３２に隣接する表示領域１１０の辺ｅに実質的に平行している。これと同様に、図１Ｂにおける第２プリズム群１３４の左側に隣接する第１プリズム群１３２のこれらのプリズム１３２ａは方向Ｄ１に沿って配列され、方向Ｄ１は表示領域１１０から離れる方向である。この第１プリズム１３２の各プリズム１３２ａは例えば方向Ｄ２に沿って延在し、方向Ｄ２は、第１プリズム１３２に隣接する表示領域１１０の辺ｅに実質的に平行している。また、第２プリズム群１３４は複数のプリズム１３４ａを含む。これらのプリズム１３４ａは、表示領域１１０の角部Ｃ１から離れる方向に沿って配列されている。第２プリズム群１３４の各プリズム１３４ａの延在方向は、表示領域１１０の角部Ｃ１に隣接する辺ｅに対して傾斜している。具体的には、第２プリズム群１３４のこれらのプリズム１３４ａは例えば方向Ｄ３に沿って配列され、方向Ｄ３は表示領域１１０の角部Ｃ１から離れる方向である。この第２プリズム群１３４の各プリズム１３４ａは、例えば方向Ｄ４に沿って延在し、方向Ｄ４は、表示領域１１０の角部Ｃ１に隣接する辺ｅに対して傾斜している。
【００１５】
本実施例では、第２プリズム群１３４のこれらのプリズム１３４ａは例えば方向Ｄ４に沿って延在し、方向Ｄ４と表示器１１０の角部Ｃ１に隣接する辺ｅとなす鋭角は角度θ１を有する。具体的には、角度θ１は、１５°以上であり、且つ７５°以下である。例えば、角度θ１は好ましく４５°である。１つの態様では、角度θ１は他の角度値であってもよいが、本発明はこれに限定されない。また、本実施例では、第２プリズム群１３４は、隣接するこれらの第１プリズム群１３２に接続されている。具体的には、第２プリズム群１３４の各プリズム１３４ａの両端は、隣接する第１プリズム群１３２の１つプリズム１３２ａにそれぞれ接続されている。なお、１つの態様では、第２プリズム群１３４は、隣接する第１プリズム群１３２に接続されていなくてもよいが、本発明はこれに限定されない。
【００１６】
図１Ｃは図１Ａの実施例の表示装置の表示領域の辺と枠領域との境界における部分（線分Ａ−Ａ’に沿う）の側面断面図である。図１Ａ及び図１Ｃに示すように、本実施例では、各第１プリズム群１３２と枠領域１２０とは間隔Ｓ１を有する。第１プリズム群１３２は、第１プリズム群１３２と枠領域１２０とが間隔Ｓ１を有するように、例えば表示器１０２の外枠又は内部の支持部材により固定されている。或いは、表示装置１００は、第１プリズム群１３２と枠領域１２０とが間隔Ｓ１を有するように、第１プリズム群１３２と枠領域１２０との間に位置する透明板又は支持部材をさらに含んでもよいが、本発明はこれに限定されない。また、第１プリズム群１３２のこれらのプリズム１３２ａの先端は枠領域１２０から離れる方向に向かっている。１つの態様では、第１プリズム群１３２のこれらのプリズム１３２ａの先端は枠領域１２０に向かってもよいが、本発明はこれに限定されない。
【００１７】
具体的には、本実施例の表示領域１１０はエッジ領域ＥＡを有する。エッジ領域ＥＡは、表示領域１１０の枠領域１２０に近い領域である。表示領域１１０は、辺ｅと枠領域１２０との境界において複数の画素、例えば画素Ｐ１、画素Ｐ２、画素Ｐ３、画素Ｐ４、画素Ｐ５及び画素Ｐ６を有し、表示画面を表示する。画素Ｐ３、画素Ｐ４、画素Ｐ５及び画素Ｐ６はエッジ領域ＥＡ内に位置し、画素Ｐ１及び画素Ｐ２はエッジ領域ＥＡの外に位置する。本実施例では、画素Ｐ３、画素Ｐ４、画素Ｐ５及び画素Ｐ６は光束Ｌ２を射出する。光束Ｌ２は光束Ｌ２ａ及び光束Ｌ２ｂを含み、光束Ｌ２ａはこれらの画素から射出された光のうち画角が小さい部分であり、光束Ｌ２ｂはこれらの画素から射出された光のうち画角が大きい部分である。光束Ｌａ２は、表示領域１１０の真上にまっすぐ伝搬され、光束Ｌｂ２は、枠領域１２０の上方に斜めに伝搬される。具体的には、光束Ｌｂ２は、枠領域１２０の上方に位置する第１プリズム群１３２に斜めに伝搬されて、第１プリズム群１３２のこれらのプリズム１３２ａにより屈折され、伝搬方向が変わる。そして、これらのプリズム１３２ａにより屈折された光束Ｌｂ２は、枠領域１２０の上方にまっすぐ伝搬される。本実施例では、エッジ領域ＥＡの外に位置する画素Ｐ１及び画素Ｐ２から射出された光束Ｌ１は表示領域１１０の真上にまっすぐ伝搬され、エッジ領域ＥＡ内に位置する画素Ｐ３、画素Ｐ４、画素Ｐ５及び画素Ｐ６から射出された光束Ｌ２ａも表示領域１１０の真上にまっすぐ伝搬されるため、表示領域１１０は表示画面を表示できる。また、画素Ｐ３、画素Ｐ４、画素Ｐ５及び画素Ｐ６から射出された光束Ｌ２ｂは、第１プリズム群１３２により屈折されて、枠領域１２０の上方にまっすぐ伝搬されるため、表示領域１１０のこれらの辺ｅに隣接する部分の枠領域１２０も表示画面を表示できる。従って、表示装置１００の表示領域１１０及び枠領域１２０はいずれも画面表示に用いられることができる。
【００１８】
本実施例では、光束Ｌ２ａ及び光束Ｌ２ｂは実質的に同一の画素Ｐ３、画素Ｐ４、画素Ｐ５及び画素Ｐ６からのものであるため、枠領域１２０の表示画面は一部の表示画面１１０の表示画面と同じである。なお、１つの態様では、表示領域１１０に位置する一部の画素により射出された光束が第１プリズム群１３２を透過して枠領域１２０の表示画面を形成し、これらの画素により射出された光速が表示領域１１０の上方にまっすぐ伝搬されることではなく、枠領域１２０の表示画面が表示領域１１０の表示画面と異なるように、実際の要求に応じて適切な光学部材を設けてもよいが、本発明はこれに限定されない。
【００１９】
図１Ｄは図１Ａの実施例の表示装置の表示領域の角部と枠領域との境界における部分（線分Ｂ−Ｂ’に沿う）の側面断面図である。図１Ａ及び図１Ｄに示すように、本実施例では、第２プリズム群１３４と枠領域１２０とは間隔Ｓ２を有する。第２プリズム群１３２は、例えば第１プリズム群１３２と類似する固定方法で、枠領域１２０の上方に固定されている。第２プリズム群１３４の固定方法は、第１プリズム群１３２の固定方法を参照してもよく、ここでその説明が省略される。また、間隔Ｓ２は、間隔Ｓ１と同一であってもよいし、異なってもよいが、本発明はこれに限定されない。本実施例では、第２プリズム群１３４のこれらのプリズム１３４ａの先端は枠領域１２０から離れる方向に向かっている。１つの態様では、第２プリズム群１３４のこれらのプリズム１３４ａの先端は枠領域１２０に向かってもよいが、本発明はこれに限定されない。
【００２０】
具体的には、表示領域１１０は、角部Ｃ１と枠領域１２０との境界において複数の画素、例えば画素Ｐ１’、画素Ｐ２’、画素Ｐ３’、画素Ｐ４’、画素Ｐ５’及び画素Ｐ６’を有し、表示画面を表示する。画素Ｐ３’、画素Ｐ４’、画素Ｐ５’及び画素Ｐ６’はエッジ領域ＥＡ内に位置し、画素Ｐ１’及び画素Ｐ２’はエッジ領域ＥＡの外に位置する。本実施例では、第２プリズム群１３４のこれらのプリズム１３４ａの作用は、第１プリズム群１３２のこれらのプリズム１３２ａの作用と類似する。画素Ｐ３’、画素Ｐ４’、画素Ｐ５’及び画素Ｐ６’により射出された光束Ｌｂ２は、枠領域１２０の上方に位置する第２プリズム群１３４に斜めに伝搬されて、第２プリズム群１３４のこれらのプリズム１３４ａにより屈折され、伝搬方向が変わる。そして、これらのプリズム１３４ａにより屈折された光束Ｌｂ２は、枠領域１２０の上方にまっすぐ伝搬される。従って、表示領域１１０のこれらの角部Ｃ１に隣接する部分の枠領域１２０も表示画面を表示できるため、表示装置１００の表示領域１１０及び枠領域１２０はいずれも画面表示に用いられることができる。
【００２１】
図１Ｅは本発明の１つの実施例の複数の図１Ａの実施例の表示装置をスプライシングする時の平面図であり、図１Ｆは図１Ｅの実施例の表示装置の領域Ｂにおける拡大図である。図１Ｅ及び図１Ｆに示すように、本実施例では、４つの表示装置１００は、２×２の方式でスプライシングされ、比較的に大きい表示画面の表示効果を達成する。なお、１つの態様では、他の種類の表示装置のスプライシングを用いてもよく、これらの表示装置は他のスプライシング方法を用いてもよいが、本発明はこれに限定されない。本実施例では、第１プリズム群１３２は、表示領域１１０により射出された光束を屈折して、枠領域１２０の上方にまっすぐ伝搬して、表示領域１１０のこれらの辺ｅに隣接する部分の枠領域１２０も表示画面を表示できる。また、第２プリズム群１３４は、表示領域１１０により射出された光束を屈折し、枠領域１２０の上方にまっすぐ伝搬して、表示領域１１０のこれらの角部Ｃ１に隣接する部分の枠領域１２０も表示画面を表示できる。従って、表示装置１００の表示領域１１０及び元々非表示領域である枠領域１２０はいずれも画面表示に用いられることができるため、表示装置１００は枠なしの表示効果を達成できる。本実施例では、視聴者が図１Ｅのこれらの表示装置１００を見る場合は、これらの表示装置１００の枠を見えない。
【００２２】
図２は本発明のもう１つの実施例の表示装置の表示領域の辺と枠領域との境界における部分の側面断面図。図２に示すように、本実施例では、表示装置２００は、図１Ａ乃至図１Ｅの表示装置１００と類似する。表示装置２００の構成要件及び関連説明は図１Ａ乃至図１Ｅの表示装置１００を参照してもよく、ここでその説明が省略される。表示装置１００と異なって、表示装置２００は表示器２０２２５０を含む。表示器２０２は、表示領域２１０、及び表示領域２１０を囲む枠領域２２０を有する。表示装置２００は、表示領域１１０のエッジ領域ＥＡに配置された視差バリア２４０をさらに含む。本実施例では、表示領域２１０は複数の画素を含み、これらの画素の一部は方向Ｄ２に沿って順次配列された画素Ｐａ、画素Ｐｂ、画素Ｐｃ及び画素Ｐｄを含む。少なくとも画素Ｐａ、画素Ｐｂ、画素Ｐｃ及び画素Ｐｄはエッジ領域ＥＡ内に位置する。また、方向Ｄ２は、表示領域２１０から枠領域２２０への方向である。具体的には、視差バリア２４０は、エッジ領域ＥＡを覆い、且つエッジ領域ＥＡの画素の一部、例えば画素Ｐｂ及び画素Ｐｄを遮蔽する複数の遮光部Ｓを有する。また、視差バリア２４０は、エッジ領域ＥＡの画素のもう一部を露出させる複数の透光部Ｏ、例えば画素Ｐａ及び画素Ｐｃを露出させる開口を有する。本実施例では、視差バリア２４０と表示器２０２との間の距離を調整するように、表示器２０２と視差バリア２４０との間に適切な厚さの透明板２５０を選択的に配置してもよい。
【００２３】
本実施例では、これらの遮光部Ｓにより遮蔽された一部の画素から射出された光束は、透光部Ｏを介してプリズムモジュール１３０に斜めに伝搬されて、プリズムモジュール１３０によりプリズムモジュール１３０の上方に屈折される。具体的には、視差バリア２４０の遮光部Ｓにより遮蔽された画素Ｐｂ及び画素Ｐｄは光束Ｌｂ及び光束Ｌｄをそれぞれ射出する。一部の光束Ｌｂ及び一部の光束Ｌｄは視差バリア２４０のこれらの遮光部Ｓにより遮蔽され、もう一部の光束Ｌｂ及びもう一部の光束Ｌｄは透光部Ｏを介してプリズムモジュール１３０の第１プリズム群１３２に斜めに伝搬されて、第１プリズム群１３２のこれらのプリズム１３２ａにより屈折されてプリズムモジュール１３０の上方に屈折される。また、本実施例では、これらの透光部Ｏにより露出されたもう一部の画素から射出された光は、透光部Ｏを介して表示領域１１０の上方へ伝搬される。具体的には、視差バリア３６０のこれらの遮光部Ｓにより遮蔽されていない画素Ｐａ及び画素Ｐｃは光束Ｌａ及び光束Ｌｃをそれぞれ射出する。光束Ｌａ及び光束Ｌｃは、これらの透光部Ｏを介して表示領域１１０の上方へ伝搬される。
【００２４】
本実施例では、表示装置２００の上方に位置する視聴者は、方向Ｄ２に沿って順次に画素Ｐａからの光束Ｌａ、画素Ｐｃからの光束Ｌｃ、画素Ｐｂからの光束Ｌｂ及び画素Ｐｄからの光束Ｌｄを見える。具体的には、画素Ｐａからの光束Ｌａ及び画素Ｐｃからの光束Ｌｃは表示領域２１０により表示され、画素Ｐｂからの光束Ｌｂ及び画素Ｐｄからの光束Ｌｄは枠領域２２０により表示される。言い換えれば、エッジ領域ＥＡのこれらの画素の設計、及び視差バリア２４０のこれらの画素への遮蔽により、表示装置２００は表示領域２１０及び枠領域２２０において異なる画面を表示できる。
【００２５】
図３は本発明のもう１つの実施例の表示装置の表示領域の辺と枠領域との境界における部分の側面断面図。図３に示すように、本実施例では、表示装置３００は、図１Ａ乃至図１Ｆの表示装置１００と類似する。表示装置３００の構成要件及び関連説明は図１Ａ乃至図１Ｆの表示装置１００を参照してもよく、ここでその説明が省略される。表示装置１００と異なって、表示装置３００は、第１プリズム群１３２と表示器１０２との間に配置され、且つ第１プリズム群１３２を支持する透光素子３６０を含む。透光素子３６０は、例えばガラス又はプラスチックにより形成されてもよく、第１プリズム群１３２は透光素子３６０に接着され、透光素子３６０の全体又は一部は表示器１０２に接着されている。また、本実施例では、透光素子３６０は、第２プリズム群（図示せず）と表示器１０２との間にも配置され、且つ第２プリズム群（図示せず）を支持する。具体的には、透光素子３６０は、第１プリズム群１３２及び第２プリズム群（図示せず）を表示器１０２の枠領域１２０の上方に位置させ、第１プリズム群１３２と枠領域１２０とが適当な距離を保持し、第２プリズム群（図示せず）と枠領域１２０とが適当な距離を保持する。１つの態様では、透光素子３６０は、表示器１０２の表示領域１１０及び枠領域１２０の一部又は全てを覆ってもよいが、本発明はこれに限定されない。また、１つの態様では、表示装置は、表示領域及び枠領域を覆う透光蓋板をさらに含む。プリズムモジュールは、透光蓋板と表示器との間に配置されている。この態様では、透光蓋板は、少なくとも表示器及びプリズムモジュールを保護し、或いはプリズムモジュールを固定するために用いられてもよいが、本発明はこれに限定されない。本実施例では、表示装置３００は図１Ａ乃至図１Ｆの実施例の表示装置１００と類似する枠なしの表示効果を達成できる。
【００２６】
図４は本発明のもう１つの実施例の表示装置の表示領域の辺と枠領域との境界における部分の側面断面図。図４に示すように、本実施例では、表示装置４００は、図３の表示装置３００と類似する。表示装置４００の構成要件及び関連説明は図３の表示装置３００を参照してもよく、ここでその説明が省略される。表示装置３００と異なって、表示装置４００の表示器４０２は、バックライトモジュール４０６、及びバックライトモジュール４０６とプリズムモジュール１３０との間に配置された表示パネル４０４を含む。表示パネル４０４は、表示領域１１０及び枠領域１２０を含む。表示領域１１０、枠領域１２０及びプリズムモジュール１３０の関連説明は、図３の実施例の表示装置３００の関連説明を参照してもよく、ここでその説明が省略される。
【００２７】
本実施例では、バックライトモジュール４０６は、表示領域１１０のエッジ領域ＥＡの下方に位置する逆プリズム群４０７を有する。逆プリズム群４０７は、先端が表示パネル４０４から離れる方向に向かう複数のプリズム４０７ａを含む。具体的には、バックライトモジュール４０６は、表示パネル４０４の表示画面の光源を提供するために用いられる。バックライトモジュール４０６により射出された光束は、斜めに射出された光束Ｌ１及びまっすぐ射出された光束Ｌ２を含む。光束Ｌ１はバックライトモジュール４０６により射出された光束のうち画角が大きい部分であり、光束Ｌ２はバックライトモジュール４０６により射出された光束のうち画角が小さい部分である。本実施例では、光束Ｌ１は、逆プリズム群４０７に斜めに伝搬されて、逆プリズム群４０７のこれらのプリズム４０７ａにより屈折されて、伝搬方向が変わる。そして、これらのプリズム４０７ａにより屈折された光束Ｌ１は表示領域１１０の上方にまっすぐ伝搬される。また、光束Ｌ２は、逆プリズム群４０７にまっすぐ伝搬されて、逆プリズム群４０７のこれらのプリズム４０７ａにより屈折されて、その伝搬方向が変わる。その後、これらのプリズム４０７ａにより屈折された光束Ｌ２は、枠領域１２０の上方に位置する第１プリズム群１３２に斜めに伝搬されて、第１プリズム群１３２のこれらのプリズム１３２ａにより屈折され、その伝搬方向が変わる。そして、これらのプリズム１３２ａにより屈折された光束Ｌ２は、枠領域１２０の上方にまっすぐ伝搬される。本実施例では、表示装置４００は、上記の方法により、表示領域１１０のこれらの辺ｅに隣接する部分の枠領域１２０も表示画面を表示できる。同様に、表示装置４００は、表示領域１００のこれらの角部Ｃ１に隣接する部分の枠領域１２０も表示画面を表示できる。本実施例では、表示装置４００は、図１Ａ乃至図１Ｆの実施例の表示装置１００と類似する枠なしの表示効果を達成できる。一般的には、バックライトモジュール４０６により提供され、表示パネル４０４の複数の画素を介して射出された光束は、画角の小さい部分の光強度が強く、画角の大きい部分の光強度が弱い。図３に示すように、図３の実施例では、枠領域１２０により表示された表示画面の光束は、表示領域１１０のエッジ領域における複数の画素（図示せず）により射出された光束のうち画角の大きい部分からのものである。このため、図３の実施例の枠領域１２０により現された表示画面の輝度は表示領域１１０により現れた表示画面の輝度よりも低く、表示領域１１０と枠領域１２０の輝度が不均一であるという現象が生じてしまう。一方、図４に示すように、本実施例では、バックライトモジュール４０６は、表示領域１１０のエッジ領域ＥＡの下方に位置する逆プリズム群４０７を有する。バックライトモジュール４０６により提供された光束のうち画角の小さい部分、即ち光強度の比較的に強い部分は、逆プリズム群４０７のこれらのプリズム４０７ａにより屈折されて、枠領域１２０の上方の第１プリズム群１３２に出射される。従って、枠領域１２０により現れている表示画面の輝度が強化され、枠領域１２０の表示画面の輝度が表示領域１１０の表示画面の輝度に近くなるため、表示領域１１０と枠領域１２０との輝度が不均一であるという現象が回避された。
【００２８】
図５Ａは本発明のもう１つの実施例の表示装置の平面図であり、図５Ｂは図５Ａの実施例の表示装置の線分Ｃ−Ｃ’に沿う側面断面図である。図５Ａ及び図５Ｂに示すように、本実施例では、表示装置５００は、図１Ａ乃至図１Ｆの表示装置１００と類似する。表示装置５００の構成要件及び関連説明は図１Ａ乃至図１Ｆの表示装置１００を参照してもよく、ここでその説明が省略される。表示装置１００と異なって、表示装置５００はプリズムモジュール５３０を含み、プリズムモジュール５３０のこれらの第１プリズム群５３２及びこれらの第２プリズム群５３４は、表示領域１１０及び枠領域１２０の上方に位置する。
【００２９】
図５Ａに示すように、本実施例では、枠領域１２０は、角部Ｃ１の傍に湾曲部Ｔｐを有する。第２プリズム群５３４は、表示領域１１０の角部Ｃ１、及び角部Ｃ１に隣接する枠領域１２０の湾曲部Ｔｐを覆う。また、第１プリズム群５３２は、表示領域１１０のこれらの辺ｅを覆う。本実施例では、第１プリズム群５３２の外側は枠領域１２０の外側に合わせており、各第１プリズム群５３２の表示領域１１０の表面に平行する方向における幅は、枠領域１２０の表示領域１１０の表面に平行する方向における幅の１〜３倍である。具体的には、枠領域１２０は表示領域１１０の表面に平行する方向において幅Ｗ１を有し、第１プリズム群５３２は表示領域１１０の表面に平行する方向において幅Ｗ２を有し、幅Ｗ２は幅Ｗ１の１〜３倍であり、好ましくは、幅Ｗ２は幅Ｗ１の２倍である。
【００３０】
本実施例では、表示装置５００は、表示領域１１０のプリズムモジュール５３０により露出された部分を覆う光強度減衰素子５７０をさらに含む。表示領域１１０は、光束Ｌ１及び光束Ｌ２を射出する。光束Ｌ２は、第１プリズム群５３２に斜めに伝搬され、第１プリズム群５３２のこれらのプリズム５３２ａにより屈折されて上へまっすぐ伝搬される。また、光束Ｌ１は、第１プリズム群５３２を通過することなく、その代わりに、光束Ｌ１は、光強度減衰素子５７０を通過した後で、上へまっすぐ伝搬される。具体的には、一般的には、表示領域１１０により射出された光束は、まっすぐの光束Ｌ１の光強度が斜めの光束Ｌ２の光強度よりも高く、光束Ｌ２がこれらのプリズム５３２ａを通過した後に、その光強度がさらに減衰し、光強度の比較的に弱い光束Ｌ２’が形成された。一方、本実施例の光束Ｌ１が光強度減衰素子５７０を通過した後に、その光強度も減衰し、光強度の比較的に弱い光束Ｌ１’が形成された。本実施例では、光束Ｌ１’と光束Ｌ２’との光強度が近いから、光束Ｌ１’及び光束Ｌ２’により構成された表示画面の輝度の表現は比較的に均一である。本実施例では、光強度減衰素子５７０は、例えばニュートラル・デンシティ・フィルタ（ｎｅｕｔｒａｌ  ｄｅｎｓｉｔｙ  ｆｉｌｔｅｒ：ＮＤ  ｆｉｌｔｅｒ）、偏光板（ｐｏｌａｒｉｚｅｒ）又は他の種類の光強度減衰シートであってもよいが、本発明はこれに限定されない。本実施例では、表示装置５００は、図１Ａ乃至図１Ｆの実施例の表示装置１００と類似する枠なしの表示効果を達成できる。
【００３１】
図６Ａは本発明のもう１つの実施例の表示装置の表示領域の辺と枠領域との境界における部分の部分側面断面図。図６Ａに示すように、本実施例では、表示装置６００ａは、図５Ａ乃至図５ｂの表示装置５００と類似する。表示装置６００ａの構成要件及び関連説明は図５Ａ乃至図５ｂの表示装置５００を参照してもよく、ここでその説明が省略される。表示装置５００と異なって、表示装置６００ａの表示器６０２は、バックライトモジュール６０６、及びバックライトモジュール６０６とプリズムモジュール５３０との間に配置された表示パネル６０４を含む。表示パネル６０４は、表示領域６１０及び枠領域６２０を含む。また、表示装置６００ａは、第１プリズム群５３２と表示器６０２との間に配置された透光素子６６０を含む。本実施例では、表示領域６１０は、少なくとも表示領域ＡＡ１、及び表示領域６１０と枠領域６２０との境界に位置する表示領域ＡＡ２を含み、表示領域ＡＡ２は表示領域ＡＡ１と枠領域６２０との間に位置する。バックライトモジュール６０６は、少なくともバックライト領域ＢＡ１及びバックライト領域ＢＡ２を含み、バックライト領域ＢＡ１は表示領域ＡＡ１に対応し、バックライト領域ＢＡ２は表示領域ＡＡ２に対応する。具体的には、バックライト領域ＢＡ１は表示領域ＡＡ１の表示画面の光源を提供するために用いられ、バックライト領域ＢＡ２は表示領域ＡＡ２の表示画面の光源を提供するために用いられる。本実施例では、表示装置６００ａは、光強度減衰素子６７０ａをさらに含む。光強度減衰素子６７０ａは、表示パネル６０４の上に配置され、且つ透光素子６６０内に位置する。光強度減衰素子６７０ａの一端は表示領域ＡＡ１と表示領域ＡＡ２との間に位置し、他端は第１プリズム群５３２に接続される。具体的には、光強度減衰素子６７０ａは、例えば表示パネル６０４又は第１プリズム群５３２に対して傾斜するように設けられる。
【００３２】
本実施例では、バックライト領域ＢＡ１により射出された光束ＬＢ１は、表示領域ＡＡ１に入った後に、光束ＬＤ１を形成して上へまっすぐ伝搬される。バックライト領域ＢＡ２により射出された光束ＬＢ２は、表示領域ＡＡ２に入った後に、光束ＬＤ２を形成する。具体的には、光束ＬＤ２の画角の比較的に大きい部分は、第１プリズム群５３２に斜めに伝搬されて、第１プリズム群５３２のこれらのプリズム５３２ａにより屈折されて上へまっすぐ伝搬される。光束ＬＤ２の画角の比較的に大きく、且つ光強度の比較的に弱い部分は、これらのプリズム５３２ａを通過した後に、その光強度がさらに減衰し、光強度の比較的に弱い光束ＬＤ２’’を形成する。また、光束ＬＤ２の画角の比較的に小さく、且つ光強度の比較的に強い部分は、光強度減衰素子６７０ａを通過した後に上へまっすぐ伝搬される。光束ＬＤ２は、光強度減衰素子６７０ａを通過した後に、その光強度が減衰し、光強度の比較的に弱い光束ＬＤ２’を形成する。また、本実施例では、バックライト領域ＢＡ１により射出された光束ＬＢ１がバックライト領域ＢＡ２により射出された光束ＬＢ２よりも低くなるように制御することで、光束ＬＤ１の光強度は光束ＬＤ２の光強度よりも低くなる。具体的には、光束ＬＤ１、光束ＬＤ２’及び光束ＬＤ２’’の光強度が近いため、光束ＬＤ１、光束ＬＤ２’及び光束ＬＤ２’’により構成された表示画面の輝度の表現は均一である。本実施例では、表示装置６００ａは、図１Ａ乃至図１Ｆの実施例の表示装置１００と類似する枠なしの表示効果を達成できる。
【００３３】
図６Ｂは本発明のもう１つの実施例の表示装置の表示領域の辺と枠領域との境界における部分の部分側面断面図。図６Ｂに示すように、本実施例では、表示装置６００ｂは、図６Ａの表示装置６００ａと類似する。表示装置６００ｂの構成要件及び関連説明は図６Ａの表示装置６００ａを参照してもよく、ここでその説明が省略される。表示装置６００ａと異なって、表示装置６７０ｂの一端は表示領域ＡＡ１と表示領域ＡＡ２との間に位置し、光強度減衰素子６７０ｂの他端は第１プリズム群５３２に接続されている。具体的には、光強度減衰素子６７０ｂの一部は透光素子６６０の上に位置し、もう１つの部分は透光素子６６０内に位置する。光強度減衰素子６７０ｂの一部は例えば表示パネル６０４に対して平行するように設けられ、もう１つの部分は表示パネル６０４に対して垂直するように設けられている。また、１つの態様では、光学接着剤により光強度減衰素子６７０ｂと透光素子６６０とを接合してもよいが、本発明はこれに限定されない。
【００３４】
本実施例では、光束ＬＤ２の画角の比較的に小さく、且つ光強度の比較的に強い部分は、光強度減衰素子６７０ｂを通過した後に上へまっすぐ伝搬される。光束ＬＤ２は、光強度減衰素子６７０ｂを通過した後に、その光強度も減衰し、光強度の比較的に弱い光束ＬＤ２’を形成する。具体的には、図６Ａの実施例の表示装置６００ａと類似するように、バックライト領域ＢＡ１により射出された光束ＬＢ１がバックライト領域ＢＡ２により射出された光束ＬＢ２よりも低くなるように制御することで、光束ＬＤ１、光束ＬＤ２’及び光束ＬＤ２’’の光強度を近くする。このため、光束ＬＤ１、光束ＬＤ２’及び光束ＬＤ２’’により構成された表示画面の輝度の表現は均一である。また、表示装置６００ｂも、図１Ａ乃至図１Ｆの実施例の表示装置１００と類似する枠なしの表示効果を達成できる。
【００３５】
図７は本発明のもう１つの実施例の表示装置の表示領域の辺と枠領域との境界における部分の部分側面断面図。図７に示すように、本実施例では、表示装置７００は、図６Ａの表示装置６００ａと類似する。表示装置７００の構成要件及び関連説明は図６Ａの表示装置６００ａを参照してもよく、ここでその説明が省略される。表示装置６００ａと異なって、表示装置７００は、透光素子６６０と表示器６０２との間に配置された支持部材Ｓｐｔをさらに含む。支持部材Ｓｐｔは、透光素子６７０を支持するために用いられる。また、表示装置７００の光強度減衰素子６７０の一端は表示領域６１０内に位置し、光強度減衰素子６７０の他端は第１プリズム群５３２に接続されている。具体的には、光強度減衰素子６７０の一端は表示領域ＡＡ１と表示領域ＡＡ２との間に位置し、他端は第１プリズム群５３２に接続されている。ここで、表示装置７００の光強度減衰素子６７０は、例えば表示パネル６０４、表示領域ＡＡ１又は第１プリズム群５３２に対して傾斜するように設けられる。本実施例では、表示装置７００は、図１Ａ乃至図１Ｆの実施例の表示装置１００と類似する枠なしの表示効果を達成できる。また、表示装置７００の表示画面の輝度表現は均一である。
【００３６】
図８Ａは本発明のもう１つの実施例の表示装置の表示領域の辺と枠領域との境界における部分の部分側面断面図。図８Ａに示すように、本実施例では、表示装置８００ａは、図１Ａ乃至図１Ｆの表示装置１００と類似する。表示装置８００ａの構成要件及び関連説明は図１Ａ乃至図１Ｆの表示装置１００を参照してもよく、ここでその説明が省略される。表示装置１００と異なって、表示装置８００ａの表示器８０２は、バックライトモジュール８０６、及びバックライトモジュール８０６とプリズムモジュール８３０との間に配置された表示パネル６０４を含む。表示パネル６０４は、表示領域６１０及び枠領域６２０を含む。本実施例では、表示領域６１０及び枠領域６２０の関連説明は、図６の実施例の表示領域６１０及び枠領域６２０の関連説明を参照してもよく、ここでその説明が省略される。
【００３７】
本実施例では、各第１プリズム群８３２は、その内側ＩＳからその外側ＯＳへ表示領域６１０の表面に対して傾斜して延在する。第１プリズム群８３２の内側ＩＳは表示領域６１０の上に位置し、第１プリズム群８３２の外側ＯＳは枠領域６２０の上方に位置し、第１プリズム群８３２の内側ＩＳと表示領域６１０との距離Ｄｓ２は第１プリズム群８３２の外側ＯＳと枠領域６２０との距離Ｄｓ１よりも小さい。具体的には、バックライトモジュール８０６の光出射領域のうちプリズムモジュール８３０により覆われている部分、即ちバックライト領域ＢＡ１は、光束ＬＢ１を射出する。バックライトモジュール８０６の光出射領域のうちプリズムモジュール８３０により覆われていない部分、即ちバックライト領域ＢＡ２は、光束ＬＢ２を射出する。本実施例では、バックライトモジュール８０６の光出射領域のうちプリズムモジュール８３０により覆われている部分の輝度は、バックライトモジュール８０６の光出射領域のうちプリズムモジュール８３０により覆われていない部分の輝度よりも高い。言い換えれば、光束ＬＢ２の輝度は光束ＬＢ１の輝度よりも高い。具体的には、表示領域６１０のうちプリズムモジュール８３０により覆われている部分、即ち表示領域ＡＡ１は光束ＬＤ１を射出する。表示領域６１０のうちプリズムモジュール８３０により覆われていない部分、即ち表示領域ＡＡ２は光束ＬＤ２を射出する。本実施例では、表示領域６１０のうちプリズムモジュール８３０により覆われている部分の輝度レベルは、表示領域６１０のうちプリズムモジュール８３０により覆われていない部分の輝度レベルよりも高い。言い換えれば、光束ＬＤ２の輝度は光束ＬＤ１の輝度よりも高い。光束ＬＤ２は、これらのプリズム８３２ａを通過した後に屈折され、上へまっすぐ伝搬される。光束ＬＤ２は、これらのプリズム８３２ａを通過した後に、その光強度が減衰し、光強度の比較的に弱い光束ＬＤ２’を形成する。具体的には、光束ＬＤ１及び光束ＬＤ２’の光強度が近いため、光束ＬＤ１及び光束ＬＤ２’により構成された表示画面の輝度表現は均一である。
【００３８】
本実施例では、表示領域６１０により表示された映像のうち各第１プリズム群８３２により覆われている部分の映像は、第１プリズム群８３２の内側ＩＳから外側ＯＳへ表示されるべき正確映像に対応する。具体的には、表示領域ＡＡ２により表示された映像は、第１プリズム群８３２の内側ＩＳから外側ＯＳへ表示されるべき正確映像に対応し、この映像は表示領域ＡＡ２及び枠領域６２０の真上で表示されている。本実施例では、表示装置８００ａは、図１Ａ乃至図１Ｆの実施例の表示装置１００と類似する枠なしの表示効果を達成できる。
【００３９】
図８Ｂは本発明のもう１つの実施例の表示装置の表示領域の辺と枠領域との境界における部分の部分側面断面図。図８Ｂに示すように、本実施例では、表示装置８００ｂは、図８Ａの表示装置８００ａと類似する。表示装置８００ｂの構成要件及び関連説明は図８Ａの表示装置８００ａを参照してもよく、ここでその説明が省略される。表示装置８００ａと異なって、表示装置８００は、第１プリズム群８３２と表示器８０２との間に配置された透光素子８６０ａをさらに含む。透光素子８６０ａは第１プリズム群８３２を支持し、第１プリズム群８３２は透光素子８０６ａに接着され、透光素子８６０ａ又は透光素子８６０ａの一部は表示器８０２に接着されている。本実施例では、表示装置８００ｂは、図１Ａ乃至図１Ｆの実施例の表示装置１００と類似する枠なしの表示効果を達成できる。
【００４０】
図８Ｃは本発明のもう１つの実施例の表示装置の表示領域の辺と枠領域との境界における部分の部分側面断面図。図８Ｃに示すように、本実施例では、表示装置８００ｃは、図８Ｂの表示装置８００ｂと類似する。表示装置８００ｃの構成要件及び関連説明は図８Ｂの表示装置８００ｂを参照してもよく、ここでその説明が省略される。表示装置８００ｂと異なって、表示装置８００ｃは、第１プリズム群８３２と表示器８０２との間に配置された透光素子８６０ｂをさらに含む。透光素子８６０ｂは第１プリズム群８３２を支持し、且つ表示器８０２の表示領域６１０及び枠領域６２０を覆い、第１プリズム群８３２は透光素子８６０ｂに接着され、透光素子８６０ｂ又は透光素子８６０ｂの一部は表示器８０２に接着されている。本実施例では、表示装置８００ｃは、図１Ａ乃至図１Ｆの実施例の表示装置１００と類似する枠なしの表示効果を達成できる。
【００４１】
上述したように、本発明の実施例の表示装置では、プリズムモジュールは、表示領域の複数の辺の傍にそれぞれ配置されている複数の第１プリズム群と、表示領域の少なくとも１つの角部の傍に配置され、且つ第１プリズム群に隣接する少なくとも１つの第２プリズム群と、を含み、第２プリズム群は、表示領域の角部から離れる方向に沿って配列された複数のプリズムを含み、第２プリズム群の各プリズムの延在方向は、表示領域の角部に隣接する辺に対して傾斜している。従って、表示装置は、枠なしの表示効果を達成できる。
【００４２】
上記の説明は、本発明の好適な実施例に過ぎず、本発明の実施の範囲がこれらに限定されず、本発明の特許請求の範囲及び明細書の内容に基づいて、当業者によって何れの変更及び修飾が可能であり、本発明の保護範囲は特許請求の範囲を基準とする。また、本発明の実施例又は特許請求の範囲は何れも本発明により開示された目的又は利点又は特徴の全てを必ずしも実現する必要はない。また、要約部分と発明の名称は単に特許文献のサーチ作業を補助するためのものであり、本発明の権利範囲を限定するものではない。また、本明細書又は特許請求の範囲における「第１」、「第２」等の用語は単なる部材（ｅｌｅｍｅｎｔ）の名称を命名する或いは異なる実施例又は範囲を区別するためのものであり、部材の数の上限又は下限を限定するものではない。
【符号の説明】
【００４３】
１００、２００、３００、４００、５００、６００ａ、６００ｂ、７００、８００ａ、８００ｂ、８００ｃ    表示装置
１０２、２０２、４０２、６０２、８０２    表示器
１１０、２１０、６１０    表示領域
１２０、２２０、６２０    枠領域
１３０、５３０、８３０    プリズムモジュール
１３２、５３２、８３２    第１プリズム群
１３２ａ、１３４ａ、４０７ａ、５３２ａ、８３２ａ    プリズム
１３４、５３４    第２プリズム群
２４０    視差バリア
２５０    透明板
３６０、６６０、７６０、８６０ａ、８６０ｂ    透光素子
４０４、６０４    表示パネル
４０６、６０６、８０６    バックライトモジュール
４０７    逆プリズム群
５７０、６７０、６７０ａ、６７０ｂ    光強度減衰素子
Ａ、Ｂ    領域
Ａ−Ａ’、Ｂ−Ｂ’、Ｃ−Ｃ’    線分
ＡＡ１、ＡＡ２    表示領域
ＢＡ１、ＢＡ２    バックライト領域
Ｃ１    角部
ｅ    辺
Ｄ１、Ｄ２、Ｄ３、Ｄ４    方向
Ｄｓ１、Ｄｓ２    距離
ＥＡ    エッジ領域
ＩＳ    内側
Ｌ１、Ｌ２、Ｌ１’、Ｌ２’、Ｌ２ａ、Ｌ２ｂ、Ｌａ、Ｌｂ、Ｌｃ、Ｌｄ、ＬＢ１、ＬＢ２、ＬＤ１、ＬＤ２、ＬＤ２’、ＬＤ２’’    光束
Ｏ    透光部
Ｓ    遮光部
ＯＳ    外側
Ｐ１、Ｐ２、Ｐ３、Ｐ４、Ｐ５、Ｐ６、Ｐ１’、Ｐ２’、Ｐ３’、Ｐ４’、Ｐ５’、Ｐ６’、Ｐａ、Ｐｂ、Ｐｃ、Ｐｄ    画素
Ｓ１、Ｓ２    間隔
Ｓｐｔ    支持部材
Ｔｐ    湾曲部
Ｗ１、Ｗ２    幅
θ１    角度
【図１Ａ】
2017090907.tif 000003
【図１Ｂ】
2017090907.tif 000004
【図１Ｃ】
2017090907.tif 000005
【図１Ｄ】
2017090907.tif 000006
【図１Ｅ】
2017090907.tif 000007
【図１Ｆ】
2017090907.tif 000008
【図２】
2017090907.tif 000009
【図３】
2017090907.tif 000010
【図４】
2017090907.tif 000011
【図５Ａ】
2017090907.tif 000012
【図５Ｂ】
2017090907.tif 000013
【図６Ａ】
2017090907.tif 000014
【図６Ｂ】
2017090907.tif 000015
【図７】
2017090907.tif 000016
【図８Ａ】
2017090907.tif 000017
【図８Ｂ】
2017090907.tif 000018
【図８Ｃ】
2017090907.tif 000019